(57)【要約】      （修正有）【課題】支柱等金具を用い壁に穴など補強加工工事することなく薄型テレビを壁掛けと同等な薄さで実現する。【解決手段】薄型テレビ８を壁の前に固定するために、２本の支柱ポール４に梁パイプ固定金具５にて梁パイプ７を接続固定し、かつ、梁パイプ固定金具５は薄型テレビ８の重心を後方に移動させる形状となっており、薄型テレビ８の重心が支柱ポール４にかかる構造であり、台座６と高さ調節用支柱ポール２及び上部支持金具１を付加することにより耐震性を向上させる構造である。さらに、薄型テレビ８の取付けはメーカーや機種により取付けネジ穴の位置が異なるが取付けは４箇所で行われている。この取付けネジ穴の上下の調整を壁寄せ取付け金具１０に設けた上下移動固定板２０２にて移動固定できる構造であり、左右の取付け位置の調整は梁パイプ７に壁寄せ固定金具９の固定位置を移動できる構造により、固定する取付けネジ位置を自由に変更でき、壁寄せ取付け金具１０のフック２０５を壁寄せ固定金具９のフック挿入孔１０２に引っ掛け、脱落防止金具１０３を壁寄せ取付け金具１０の脱落防止孔２０４に回しいれる。【選択図】図３
0003121621.tif 000002
【実用新案登録請求の範囲】
【請求項１】
薄型テレビを壁の前に固定するために、２本の支柱ポールに梁パイプ固定金具にて梁パイプを接続固定し、かつ、梁パイプ固定金具は薄型テレビの重心を後方に移動させる形状となっており、薄型テレビの重心が支柱ポールにかかる構造であり、台座と高さ調節用支柱ポール及び上部支持金具を付加することにより耐震性を向上させた薄型テレビ壁寄せ装置。
【請求項２】
薄型テレビの取付けは取付けネジ穴の上下の調整を壁寄せ取付け金具に設けた上下移動固定板にて移動固定できる構造であり、左右の取付け位置の調整は請求項１の梁パイプに壁寄せ固定金具の固定位置を移動できる構造により、固定する取付けネジ位置を自由に変更できる薄型テレビ壁寄せ装置。
【考案の詳細な説明】
【技術分野】
【０００１】  本考案は、支柱等金具を用いた、薄型テレビの壁寄せ装置に関するものである。
【背景技術】
【０００２】  薄型テレビを壁に設置するためには、壁の補強加工工事または家屋の建築と同時に工事をしなければない。賃貸住宅等では、壁の加工ができず専用台に乗せるしかなく転倒の可能性があった。
【考案の開示】
【考案が解決しようとする課題】
【０００３】  薄型テレビの最大のメリットは壁掛けができることであるが、実情は賃貸住宅、壁の補強加工工事など実現には問題が多い。従って、支柱等金具を用い壁に穴など補強加工工事することなく薄型テレビを壁掛けと同等な薄さで実現が可能であり、前述の欠点を解決しようとするものである。
【課題を解決するための手段】
【０００４】  本考案は、薄型テレビを壁の前に固定するために、２本の支柱ポールに梁パイプ固定金具にて梁パイプを接続固定し、かつ、梁パイプ固定金具は薄型テレビの重心を後方に移動させる形状となっており、薄型テレビの重心が支柱ポールにかかる構造であり、台座と高さ調節用支柱ポール及び上部支持金具を付加することにより耐震性を向上させる構造である。【０００５】  薄型テレビの取付けはメーカーや機種により取付けネジ穴の位置が異なるが取付けは４箇所で行われている。この取付けネジ穴の上下の調整を壁寄せ取付け金具に設けた上下移動固定板にて移動固定できる構造であり、左右の取付け位置の調整は梁パイプに壁寄せ固定金具の固定位置を移動できる構造により、固定する取付けネジ位置を自由に変更でき、壁寄せ取付け金具のフックを壁寄せ固定金具のフック挿入孔に引っ掛け、脱落防止金具を壁寄せ取付け金具の脱落防止孔に回しいれることにより問題点を解決している。
【考案の効果】
【０００６】  上述のように、本考案は壁に穴あけ等加工工事が必要なく、壁だけではなく窓やふすまなどの部分にも設置可能となる。さらに模様替え等による移設も可能となる。
【考案を実施するための最良の形態】  本考案の最良の実施形態を図１〜図９に基づいて説明する。
【実施例】
【０００７】  本考案壁寄せ装置の実施形態を図１〜図３に示す。図１は、薄型テレビ８を実装した正面図であり、図２はその側面図である。図３は、本考案壁寄せ装置の本体正面図である。【０００８】  図１、図２において、８は薄型テレビ本体を１２の壁面の前方に設置するものである。また、１は上部支持金具、２は高さ調節用支柱ポール、３は高さ調節用支柱固定金具、４は支柱ポール、５は梁パイプ固定金具であり図８、図９はその拡大図、６は台座、７は梁パイプ、８は薄型テレビ本体、９は壁寄せ固定金具であり図４、図５はその拡大図、１０は壁寄せ取付け金具であり図６、図７はその拡大図である。【０００９】  上記のような構成の壁寄せ装置は、薄型テレビ８を壁面１２の前面に固定するために、２本の支柱ポール４に図８の梁パイプ固定金具５の支柱ポール固定ネジ３０３にて固定し、梁パイプ固定ネジ３０４にて梁パイプ７を接続固定する。かつ、梁パイプ固定金具５は薄型テレビ８の重心を後方に移動させる形状となっており、薄型テレビ８の重心が図２のように支柱ポール４にかかる構造であり、台座６と高さ調節用支柱ポール２及び上部支持金具１を付加する。さらに、高さ調節用支柱ポール２を高さ調節用支柱固定金具３で固定し、必要に応じて上部支持金具１を壁面上部梁１４にネジ止めすることにより耐震性を向上させる構造である。【００１０】  次に薄型テレビ８の取付けはメーカーや機種により取付けネジ穴の位置が異なるが取付けは４箇所で行われている。この取付けネジ穴の上部の取付けネジは固定ネジ孔２０１にて固定し、下部の取付けネジは上下の調整を壁寄せ取付け金具１０に設けた上下移動固定板２０２にて移動し、固定ネジ孔２０３にて固定できる構造であり、左右の取付け位置の調整は梁パイプ７に壁寄せ固定金具９の固定位置を移動できる構造により、固定する取付けネジ位置を自由に変更でき、壁寄せ取付け金具１０のフック２０５を壁寄せ固定金具のフック挿入孔１０２に引っ掛け、脱落防止金具１０３を壁寄せ取付け金具の脱落防止孔２０４に回しいれることにより、薄型テレビ８を壁掛けと同等な薄さで実現が可能となる。【００１１】  薄型テレビ８は電子機器であるため、修理等により装置より取り外して行わなければならない、その際は、脱落防止金具１０３を外し、薄型テレビ８自体を持ち上げることにより壁寄せ固定金具９から簡単に着脱でき、修理等ができる。
【図面の簡単な説明】
【００１２】
【図１】薄型テレビ装着状態を前面から見た壁寄せ装置である。
【図２】薄型テレビ装着状態を側面から見た壁寄せ装置である。
【図３】薄型テレビ壁寄せ装置本体である。
【図４】壁寄せ固定金具の前面図である。
【図５】壁寄せ固定金具の側面図である。
【図６】壁寄せ取付け金具の前面図である。
【図７】壁寄せ取付け金具の側面図である。
【図８】梁パイプ固定金具の側面図である。
【図９】梁パイプ固定金具の上面図である。
【符号の説明】
【００１３】１：上部支持金具、２：高さ調節用支柱ポール、３：高さ調節用支柱固定金具、４：支柱ポール、５：梁パイプ固定金具、６：台座、７：梁パイプ、８：薄型テレビ本体、９：壁寄せ固定金具、１０：壁寄せ取付け金具、１１：天井、１２：壁面、１３：床、１４：壁面上部梁
１０１：壁寄せ固定金具固定ネジ、１０２：壁寄せ固定金具フック挿入孔、１０３：壁寄せ取付け金具脱落防止金具
２０１：固定ネジ孔、２０２：上下移動固定板、２０３：上下移動固定ネジ孔、２０４：壁寄せ固定金具脱落防止孔、２０５：壁寄せ固定金具への取付けフック
３０１：支柱ポール挿入孔、３０２：梁パイプ挿入孔、３０３：支柱ポール固定ネジ、３０４：梁パイプ固定ネジ
【図１】
0003121621.tif 000003
【図２】
0003121621.tif 000004
【図３】
0003121621.tif 000005
【図４】
0003121621.tif 000006
【図５】
0003121621.tif 000007
【図６】
0003121621.tif 000008
【図７】
0003121621.tif 000009
【図８】
0003121621.tif 000010
【図９】
0003121621.tif 000011